(57)【要約】  ポリエーテルポリオールとポリエステルポリオールとのハイブリッド共重合体を含むハイブリッド型発泡フォーム、及び前記ハイブリッド型発泡フォームを含む化粧品キットに関する。【選択図】図１
2019504681.tif 000002
【特許請求の範囲】
【請求項１】
ポリエーテルポリオールとポリエステルポリオールとのハイブリッド共重合体を含む、化粧料組成物含浸用ハイブリッド型発泡フォーム。
【請求項２】
前記ハイブリッド共重合体は、
前記ポリエーテルポリオール形成用の単量体またはオリゴマー、あるいはエーテル構造含有ポリオールを示すＸ、及び
前記ポリエステルポリオール形成用の単量体またはオリゴマー、あるいはエステル構造含有ポリオールを示すＹ
を共重合して形成される共重合体を含むことを特徴とする、請求項１に記載の化粧料組成物含浸用ハイブリッド型発泡フォーム。
【請求項３】
前記ハイブリッド共重合体は、（ＸＹ）ｎＸと表示される共重合体を含むものであり、前記ｎは、１ないし２００範囲の数であることを特徴とする、請求項２に記載の化粧料組成物含浸用ハイブリッド型発泡フォーム。
【請求項４】
前記ポリエーテルポリオールの単量体は、アルキレンオキシド、ジオール、トリオール、及びそれらの組み合わせからなる群から選択されるものを含み、
前記ポリエステルポリオールの単量体は、カルボン酸基を２以上含む有機酸を含むことを特徴とする、請求項２に記載の化粧料組成物含浸用ハイブリッド型発泡フォーム。
【請求項５】
前記ハイブリッド共重合体の分子量が、１００ないし８，０００であることを特徴とする、請求項１に記載の化粧料組成物含浸用ハイブリッド型発泡フォーム。
【請求項６】
前記ハイブリッド型発泡フォームは、開放されたポアを含むことを特徴とする、請求項１に記載の化粧料組成物含浸用ハイブリッド型発泡フォーム。
【請求項７】
前記ハイブリッド型発泡フォームは、前記ポアの数が、７０ｐｐｉないし１２０ｐｐｉであり、前記ポアのサイズが、０．０１ｍｍないし０．３５ｍｍであるものを含むことを特徴とする、請求項６に記載の化粧料組成物含浸用ハイブリッド型発泡フォーム。
【請求項８】
前記ハイブリッド型発泡フォームは、アスカー（ASKER）硬度計Ｆ型を基準に、硬度が１０ないし７０であるものを含むことを特徴とする、請求項１に記載の化粧料組成物含浸用ハイブリッド型発泡フォーム。
【請求項９】
化粧料組成物と、
ポリエーテルポリオールとポリエステルポリオールとのハイブリッド共重合体と、を含むハイブリッド型発泡フォームを含み、
前記ハイブリッド型発泡フォームに、前記化粧料組成物が含浸された化粧品キット。
【請求項１０】
前記化粧品キットは、塗布用アプリケータをさらに含むことを特徴とする、請求項９に記載の化粧品キット。
【請求項１１】
前記ハイブリッド型発泡フォームを収容する容器をさらに含むことを特徴とする、請求項９または１０に記載の化粧品キット。
【請求項１２】
前記ハイブリッド型発泡フォームを収容する内部容器、及び前記内部容器を収容する外部容器をさらに含むことを特徴とする、請求項９または１０に記載の化粧品キット。
【請求項１３】
前記ハイブリッド共重合体は、
前記ポリエーテルポリオール形成用の単量体またはオリゴマー、あるいはエーテル構造含有ポリオールを示すＸ、及び
前記ポリエステルポリオール形成用の単量体またはオリゴマー、あるいはエステル構造含有ポリオールを示すＹ
を共重合して形成される共重合体を含むことを特徴とする、請求項９に記載の化粧品キット。
【請求項１４】
前記ハイブリッド共重合体は、（ＸＹ）ｎＸと表示される共重合体を含むものであり、前記ｎは、１ないし２００範囲の数であることを特徴とする、請求項１３に記載の化粧品キット。
【請求項１５】
前記ポリエーテルポリオールの単量体は、アルキレンオキシド、ジオール、トリオール、及びそれらの組み合わせからなる群から選択されたものを含み、
前記ポリエステルポリオールの単量体は、カルボン酸基を２以上含む有機酸を含むことを特徴とする、請求項１３に記載の化粧品キット。
【請求項１６】
前記ハイブリッド共重合体の分子量が、１００ないし８，０００であることを特徴とする、請求項９に記載の化粧品キット。
【請求項１７】
前記ハイブリッド型発泡フォームは、開放されたポアを含むことを特徴とする、請求項９に記載の化粧品キット。
【請求項１８】
前記ハイブリッド型発泡フォームは、前記ポアの数が、７０ｐｐｉないし１２０ｐｐｉであり、前記ポアのサイズが、０．０１ｍｍないし０．３５ｍｍであるものを含むことを特徴とする、請求項１７に記載の化粧品キット。
【請求項１９】
前記ハイブリッド型発泡フォームは、アスカー（ASKER）硬度計Ｆ型を基準に、硬度が１０ないし７０であるものを含むことを特徴とする、請求項９に記載の化粧品キット。
【請求項２０】
前記化粧料組成物は、粘度が、４，０００ｃｐｓないし２０，０００ｃｐｓであるものを含むことを特徴とする、請求項９に記載の化粧品キット。
【請求項２１】
前記化粧料組成物は、メーキャップベース、ＢＢクリーム、スキンカバー、ファウンデーション、プライマー、ブラシ、リップスティック、リップグロス、ペースパウダー、リップライナー、眉墨鉛筆、アイシャドウ、コンパクトパウダー、ツインケーキ、パクト、パウダーパクト、コンシーラーまたはサンスクリーンを含むことを特徴とする、請求項９に記載の化粧品キット。
【発明の詳細な説明】
【技術分野】
【０００１】
本発明は、化粧料組成物含浸用ハイブリッド型発泡フォーム、及び前記ハイブリッド型発泡フォームを利用した化粧品キットに係り、さらに詳細には、ポリエーテルポリオールとポリエステルポリオールとのハイブリッド共重合体を含む化粧料組成物含浸用ハイブリッド型発泡フォーム、及び前記ハイブリッド型発泡フォームを含む化粧品キットに関する。
【背景技術】
【０００２】
一般的に、クッションパクトは、ナチュラルベージ色などで顔を化粧するベースメーキャップ化粧品であり、内容物である化粧料は、主に溶液（液状物）に製造されている。クッションパクトは、主に化粧料が含浸された含浸材、前記化粧料が含浸された含浸材を内蔵したリフィル用内部容器、及び前記リフィル用内部容器を結合して収容することができる外部容器を含む二重容器形態である。
【０００３】
従来、かような化粧品に使用される含浸材は、ポリウレタンフォームを主に使用するが、かようなポリウレタンフォームは、高分子重合反応に使用されるポリオールの種類により、ポリエーテルポリオールフォーム、ポリエステルポリオールフォームに区分される。
【０００４】
ポリウレタンフォーム形成に利用されるポリヒドロキシ化合物の種類により、ポリエーテルポリオールフォーム及びポリエステルポリオールフォームに区別することができる。それぞれの長短所について述べれば、ポリエーテルポリオールフォームは、耐加水分解性に非常にすぐれ、弾性にすぐれ、低コストであるという長所を有するが、耐油性が弱いという短所がある。一方、ポリエステルポリオールフォームは、気泡調整が容易であり、耐磨耗性、内薬品性などが優れるという長所を有するが、加水分解を起こしやすく、高温での長期間保管時、崩壊現象が発生するという短所がある。
【０００５】
大韓民国特許第１０−１５６０８１２号は、ポリカプロラクトンポリオールフォームで構成された含浸剤を含み、シルバーグラス抗菌成分を含む化粧品容器を開示している。
【０００６】
しかし、化粧料組成物を含浸するためのフォームとして、ポリエーテルポリオールフォームとポリエステルポリオールフォームとの短所を相互補完することができる新たな材質のフォーム開発が相変らず必要な実情である。
【先行技術文献】
【特許文献】
【０００７】
【特許文献１】大韓民国特許第１０−１５６０８１２号
【発明の概要】
【発明が解決しようとする課題】
【０００８】
本願は、ポリエーテルポリオールとポリエステルポリオールとのハイブリッド共重合体を含む化粧料組成物含浸用ハイブリッド型発泡フォーム、及び前記ハイブリッド型発泡フォームを含む化粧品キットを提供する。
【０００９】
しかし、本発明が解決する課題は、以上で言及した課題に制限されるものではなく、言及されていない他の課題は、以下の記載から、当業者に明確に理解されるであろう。
【課題を解決するための手段】
【００１０】
本願の第１側面は、ポリエーテルポリオールとポリエステルポリオールとのハイブリッド共重合体を含む、化粧料組成物含浸用ハイブリッド型発泡フォームを提供する。
【００１１】
本願の第２側面は、塗布用パフと、化粧料組成物と、ポリエーテルポリオールとポリエステルポリオールとのハイブリッド共重合体と、を含むハイブリッド型発泡フォームを含み、前記ハイブリッド型発泡フォームに、前記化粧料組成物が含浸されたものである化粧品キットを提供する。
【発明の効果】
【００１２】
本願の具現例において、前記化粧料組成物含浸用ハイブリッド型発泡フォームは、ポリエーテルポリオール及びポリエステルポリオールの単純な混合によって形成されるのではなく、ポリエーテルポリオールとポリエステルポリオールとのエーテル・エステルの化学的結合を形成する共重合反応によって形成されたハイブリッド型共重合体を含む。従って、前記ハイブリッド型発泡フォームは、共重合反応によって形成された化学的結合により、単一骨格構造のハイブリッド型共重合体を含むことにより、既存のポリエーテルポリオールフォーム及びポリエステルポリオールフォームがそれぞれ保有する短所を補完して改善された化粧料組成物含浸用発泡フォームとして機能することができる。具体的には、ポリエーテルポリオールとポリエステルポリオールとを単純に混合またはブレンディングして製造された発泡フォームの場合、相分離が示され、結果として、発泡フォームが不均一状態で存在し、ポリエーテルポリオールフォーム及びポリエステルポリオールフォームそれぞれに示される短所をそのまま保有することになるので、改善された発泡フォームを得難いという側面がある。一方、従来のウレタンフォーム（ポリエーテルポリオールフォームまたはポリエステルポリオールフォーム）と比較するとき、本願のハイブリッド型発泡フォームは、エーテル基とエステル基とを共重合形態で同時に保有するので、互いに界面相の安定化を付与し、干渉効果を排除し、最適のシナジー効果を示すことができる。すなわち、本願の具現例により、ポリエステルが保有する優秀な物性、並びにポリエーテルが保有する柔軟性及び耐加水分解性の長所を具現するのみならず、両者の組み合わせを介して、親油性及び親水性のバランスを調節し、使用される化粧料組成物の特徴によって担持することができる勾配程度を広げることができる。従って、本願の具現例により、多様な物性の具現が可能であり、化粧料組成物を含浸させる場合、界面上及びバルク上での液安定性を確保することができる。また、本願の具現例により、前記ハイブリッド型発泡フォームに含浸される化粧料組成物の成分によって異なる親水性または親油性の程度のような多様な物性と係わりなく、多様な化粧料組成物を安定して含浸させることができるので、化粧料組成物の種類または物性などにより、発泡フォームの種類を異にする必要がない。特に、本願の具現例によるハイブリッド型発泡フォームは、元素の種類や結合の形態及び構造による極性の変化により、水溶性と脂溶性との性質程度を調節することができ、それにより、共に使用する化粧料組成物の種類を多様に選択することができる。
【００１３】
本願の具現例において、前記ハイブリッド型発泡フォームは、既存のポリウレタンフォームに比べ、耐化学性、耐加水分解性及び耐久性にすぐれる。具体的には、耐加水分解性にすぐれるポリエーテルポリオールとポリエステルポリオールとのハイブリッド共重合体を含むハイブリッド型発泡フォームを提供することができるので、ポリエステルポリオールフォームのみを使用する場合、化粧料組成物を構成する油相成分及び水相成分のうち水相成分により、ウレタンフォームの網状骨格に加水分解が起きる問題点を解決することができる。また、本願の具現例により、耐久性に優れるポリエーテルポリオールとポリエステルポリオールとのハイブリッド共重合体を含むハイブリッド型発泡フォームを提供することができるので、ポリエーテルポリオールフォームのみを使用する場合、ユーザがパフなどの化粧料組成物の塗布用アプリケータを利用し、フォームに反復的及び持続的に加えられる圧力により、発泡フォームが摩耗され、強度が低下するといった発泡フォームの耐久性及び安定性の問題を解決することができる。
【００１４】
本願の具現例において、前記ポリエーテルポリオールとポリエステルポリオールとのハイブリッド共重合体を含むハイブリッド型発泡フォームを、化粧料組成物の含浸材として使用する場合、経時的な剤形の分離なしに、内容物の安定性確保が可能である。
【図面の簡単な説明】
【００１５】
【図１】本願の一実施例によって製造されたハイブリッド発泡フォームの写真である。
【図２】本願の一実施例によって製造された化粧料組成物が含浸されたハイブリッド発泡フォームの写真である。
【図３】本願の一実施例によって製造されたハイブリッド発泡フォームの光学顕微鏡による写真である。
【発明を実施するための形態】
【００１６】
以下では、添付図面を参照し、本願が属する技術分野で当業者が容易に実施することができるように、本願の実施例について詳細に説明する。しかし、本願は、さまざまに異なる形態に具現され、ここで説明する実施例に限定されるものではない。そして、図面で本願について明確に説明するために、説明と関係ない部分は省略し、明細書全体を通じて類似した部分については、類似した図面符号を付した。
【００１７】
本願明細書全体において、ある部分が他の部分と「連結」されているとするとき、それは、「直接に連結」されている場合だけではなく、その中間に、他の素子を挟んで「電気的に連結」されている場合も含む。
【００１８】
本願明細書全体において、ある部材が他の部材「上に」位置しているとするとき、それは、ある部材が他の部材に接している場合だけではなく、２つの部材の間に、さらに他の部材が存在する場合も含む。
【００１９】
本願明細書全体において、ある部分がある構成要素を「含む」とするとき、それは、特別に反対となる記載がない限り、他の構成要素を除外するものではなく、他の構成要素をさらに含んでもよいということを意味する。本願明細書全体で使用される程度の用語「約」、「実質的に」などは、言及された意味に固有の製造許容誤差及び物質許容誤差が提示されるとき、その数値における意味、あるいはその数値に近接した意味に使用され、本願の理解の一助とするために、正確であったり絶対的であったりする数値が言及された開示内容が、非良心的な侵害者に不当に利用されることを防止するために使用される。本願明細書全体で使用される程度の用語「〜（する）段階「または「〜の段階」は、「〜のための段階」を意味するものではない。
【００２０】
本願明細書全体において、マーカッシュ形式の表現に含まれた「それらの組み合わせ」の用語は、マーカッシュ形式の表現に記載された構成要素からなる群のうち選択される１以上の混合または組み合わせを意味するものであり、前記構成要素からなる群のうち選択される１以上を含むことを意味する。
【００２１】
本願明細書全体において、「Ａ及び／またはＢ」の記載は、「ＡまたはＢ、またはＡ及びＢ」を意味する。
【００２２】
本願明細書全体において、「アルキル基」及び「アルキレン基」は、それぞれ１ないし２４個の炭素原子、１ないし２０個の炭素原子、１ないし１８個の炭素原子、１ないし１５個の炭素原子、１ないし１２個の炭素原子、１ないし１０個の炭素原子、１ないし８個の炭素原子、１ないし６個の炭素原子、１ないし５個の炭素原子、または１ないし３個の炭素原子を有する、線状または分枝状のアルキル基及びアルキレン基を示す。前記アルキル基またはアルキレン基がアルキル基で置換される場合、それは、「分枝状アルキル基」または「分枝状アルキレン基」にも相互交換して使用される。前記アルキル基またはアルキレン基で置換される置換基としては、ハロ（例えば、Ｆ、Ｃｌ、Ｂｒ、Ｉ）、ハロアルキル（例えば、ＣＣｌ３またはＣＦ３）、アルコキシ、アルキルチオ、ヒドロキシ、カルボキシ（−Ｃ（Ｏ）−ＯＨ）、アルキルオキシカルボニル（−Ｃ（Ｏ）−Ｏ−Ｒ）、アルキルカルボニルオキシ（−Ｏ−Ｃ（Ｏ）−Ｒ）、アミノ（−ＮＨ２）、カルバモイル（−Ｃ（Ｏ）−ＮＨＲ）、ウレア（−ＮＨ−Ｃ（Ｏ）−ＮＨＲ−）及びチオール（−ＳＨ）からなる群から選択される少なくとも一つを挙げることができるが、それらに制限されるものではない。併せて、前述の前記アルキル基のうち、炭素数２以上のアルキル基は、少なくとも１つの炭素対炭素二重結合または少なくとも１つの炭素対炭素三重結合を含んでもよいが、それらに制限されるものではない。例えば、メチル、エチル、プロピル、ブチル、ペンチル、ヘキシル、ヘプシル、オクチル、ノニル、デシル、ウンデシル、ドデシル、トリデシル、テトラデシル、ペンタデシル、ヘキサデシル、ヘプタデシル、オクタデシル、ノナデシル、エイコサニール、またはそれらの可能な全ての異性体を含んでもよいが、それらに制限されるものではない。例えば、本願で使用されたアルキル基は、炭素数が１ないし１０であるアルキル基、すなわち、メチル基、エチル基、プロピル基、ブチル基、ペンチル基、ヘキシル基、ヘプチル基、オクチル基、ノニル基、またはデシル（decyl）基でもあり、または炭素数が１ないし６であるアルキル基、すなわち、メチル基、エチル基、プロピル基、ブチル基、ペンチル基またはヘキシル基でもあり、または炭素数が１ないし４であるアルキル基、すなわち、メチル基、エチル基、ｉ−プロピル基、ｎ−プロピル基、ｔ−ブチル基、ｓ−ブチル基またはｎ−ブチル基でもあるが、それらに制限されるものではない。
【００２３】
本願明細書全体において、用語「ハロゲン」または「ハロ」は、周期律表の１７族に属するハロゲン原子が、作用基の形態として化合物に含まれていることを意味するものであり、例えば、塩素、臭素、フッ素またはヨードでもあるが、それらに制限されるものではない。
【００２４】
本願明細書全体において、「ハイブリッド型発泡フォーム」は、本願のポリエーテルポリオールとポリエステルポリオールとのハイブリッド共重合体と、イソシアネート（−ＮＣＯ）基を有した化合物とを反応させて形成されたポリウレタンを発泡フォームとして加工したものを含む。
【００２５】
本願明細書全体において、「ポリエーテルポリオールフォーム」は、ポリエーテルポリオールと、イソシアネート（−ＮＣＯ）基を有した化合物とを反応させて形成されたポリウレタンを発泡フォームとして加工したものを含む。
【００２６】
本願明細書全体において、「ポリエステルポリオールフォーム」は、ポリエステルポリオールと、イソシアネート（−ＮＣＯ）基を有した化合物とを反応させて形成されたポリウレタンを発泡フォームとして加工したものを含む。
【００２７】
以下、添付された図面を参照し、本願の具現例及び実施例について詳細に説明する。しかし、本願は、かような具現例及び実施例、並びに図面に制限されるものではない。
【００２８】
本願の第１側面は、ポリエーテルポリオールとポリエステルポリオールとのハイブリッド共重合体を含む、化粧料組成物含浸用ハイブリッド型発泡フォームを提供する。
【００２９】
本願の一具現例において、前記ハイブリッド共重合体は、前記ポリエーテルポリオール形成用の単量体またはオリゴマー、あるいはエーテル構造含有ポリオールを示すＸ、及び前記ポリエステルポリオール形成用の単量体またはオリゴマー、あるいはエステル構造含有ポリオールを示すＹを共重合して形成される共重合体を含んでもよい。
【００３０】
本願の一具現例において、前記ハイブリッド共重合体は、前記ポリエーテルポリオール（Ｘ）と、前記ポリエステルポリオール（Ｙ）とによって形成される（ＸＹ）ｎＸであるものを含み、前記ｎは、選択されるＸ及びＹの種類によっても異なるが、約１ないし約２００範囲の数であるものを含むハイブリッド型発泡フォームを含んでもよいが、それに制限されるのではない。例えば、前記ハイブリッド共重合体（ＸＹ）ｎＸは、前記ポリエーテルポリオール形成用の単量体またはオリゴマー、あるいはエーテル構造含有ポリオールを示すＸ、及び前記ポリエステルポリオール形成用の単量体またはオリゴマー、あるいはエステル構造含有ポリオールを示すＹを、ｎ：ｎ＋１の比率で共重合して形成されるものでもあるが、それに制限されるのではない。例えば、前記ｎは、約１ないし約２００範囲の数であり、具体的には、約１ないし約２００、約１ないし約１８０、約１ないし約１６０、約１ないし約１５０、約１ないし約１４０、約１ないし約１２０、約１ないし約１００、約１ないし約９０、約１ないし約８０、約１ないし約７０、約１ないし約６０、約１ないし約５０、約１ないし約４０、約１ないし約３０、約１ないし約２０、約１ないし約１５、約１ないし約１０、約１ないし約９、約１ないし約８、約１ないし約７、約１ないし約６、約１ないし約５、約１ないし約４、約１ないし約３、約１ないし約２、約３ないし約２００、約３ないし約１８０、約３ないし約１６０、約３ないし約１５０、約３ないし約１４０、約３ないし約１２０、約３ないし約１００、約３ないし約５０、約３ないし約４０、約３ないし約３０、約３ないし約２０、約３ないし約１５、約３ないし約１０、約３ないし約９、約３ないし約８、約３ないし約７、約３ないし約６、約３ないし約５、約３ないし約４、約５ないし約２００、約５ないし約１８０、約５ないし約１６０、約５ないし約１５０、約５ないし約１４０、約５ないし約１２０、約５ないし約１００、約５ないし約９０、約５ないし約８０、約５ないし約７０、約５ないし約６０、約５ないし約５０、約５ないし約４０、約５ないし約３０、約５ないし約２０、約５ないし約１５、約５ないし約１０、約５ないし約９、約５ないし約８、約５ないし約７、約５ないし約６、約７ないし約２００、約７ないし約１８０、約７ないし約１６０、約７ないし約１５０、約７ないし約１４０、約７ないし約１２０、約７ないし約１００、約７ないし約９０、約７ないし約８０、約７ないし約７０、約７ないし約６０、約７ないし約５０、約７ないし約４０、約７ないし約３０、約７ないし約２０、約７ないし約１５、約７ないし約１０、約７ないし約９、約７ないし約８、約１０ないし約２００、約１０ないし約１８０、約１０ないし約１６０、約１０ないし約１５０、約１０ないし約１４０、約１０ないし約１２０、約１０ないし約１００、約１０ないし約９０、約１０ないし約８０、約１０ないし約７０、約１０ないし約６０、約１０ないし約５０、約１０ないし約４０、約１０ないし約３０、または約１０ないし約２０でもあるが、それらに制限されるのではない。本願の一具現例において、前記ハイブリッド共重合体は、前記ｎ値の範囲内で製造される場合、化粧料組成物を担持するのに適する弾性、及び商業化されるだけの加工性を確保することができる。
【００３１】
本願の一具現例において、前記ハイブリッド共重合体（ＸＹ）ｎＸは、下記化学式１のように表現され、下記化学式１で、Ｒは、アルキレン基またはエーテルオリゴマーを含むものであり、Ｒ’は、アルキレンまたはエステルオリゴマーを含むものであり、前記アルキレン、エーテルオリゴマー及びエステルオリゴマーは、飽和または不飽和の炭素結合を含み、線状または分枝状の構造を含んでもよいが、それらに制限されるのではない：
【化１】
2019504681.tif 000003
前記化学式１で、ｍは、約１ないし約２００の範囲の数、例えば、具体的には、約１ないし約２００、約１ないし約１８０、約１ないし約１６０、約１ないし約１５０、約１ないし約１４０、約１ないし約１２０、約１ないし約１００、約１ないし約９０、約１ないし約８０、約１ないし約７０、約１ないし約６０、約１ないし約５０、約１ないし約４０、約１ないし約３０、約１ないし約２０、約１ないし約１５、約１ないし約１０、約１ないし約９、約１ないし約８、約１ないし約７、約１ないし約６、約１ないし約５、約１ないし約４、約１ないし約３、約１ないし約２、約３ないし約２００、約３ないし約１８０、約３ないし約１６０、約３ないし約１５０、約３ないし約１４０、約３ないし約１２０、約３ないし約１００、約３ないし約５０、約３ないし約４０、約３ないし約３０、約３ないし約２０、約３ないし約１５、約３ないし約１０、約３ないし約９、約３ないし約８、約３ないし約７、約３ないし約６、約３ないし約５、約３ないし約４、約５ないし約２００、約５ないし約１８０、約５ないし約１６０、約５ないし約１５０、約５ないし約１４０、約５ないし約１２０、約５ないし約１００、約５ないし約９０、約５ないし約８０、約５ないし約７０、約５ないし約６０、約５ないし約５０、約５ないし約４０、約５ないし約３０、約５ないし約２０、約５ないし約１５、約５ないし約１０、約５ないし約９、約５ないし約８、約５ないし約７、約５ないし約６、約７ないし約２００、約７ないし約１８０、約７ないし約１６０、約７ないし約１５０、約７ないし約１４０、約７ないし約１２０、約７ないし約１００、約７ないし約９０、約７ないし約８０、約７ないし約７０、約７ないし約６０、約７ないし約５０、約７ないし約４０、約７ないし約３０、約７ないし約２０、約７ないし約１５、約７ないし約１０、約７ないし約９、約７ないし約８、約１０ないし約２００、約１０ないし約１８０、約１０ないし約１６０、約１０ないし約１５０、約１０ないし約１４０、約１０ないし約１２０、約１０ないし約１００、約１０ないし約９０、約１０ないし約８０、約１０ないし約７０、約１０ないし約６０、約１０ないし約５０、約１０ないし約４０、約１０ないし約３０、または約１０ないし約２０でもあるが、それらに制限されるのではない。本願の一具現例において、前記ハイブリッド共重合体は、前記ｍ値の範囲内で製造される場合、化粧料組成物を担持するのに適する弾性と、商業化された加工性とを確保することができる。
【００３２】
本願の一具現例において、前記Ｒ及びＲ’は、それぞれ独立して、約１ないし約４５０、約１ないし約４００、約１ないし約３５０、約１ないし約３００、約１ないし約２５０、約１ないし約２００、約１ないし約１５０、約１ないし約１００、約１ないし約８０、約１ないし約６０、約１ないし約４０、約１ないし約２０、約１ないし約１５、約１ないし約１０、約１ないし約８、約１ないし約６、約１ないし約４、または約１ないし約２、約２ないし約４５０、約２ないし約４００、約２ないし約３５０、約２ないし約３００、約２ないし約２５０、約２ないし約２００、約２ないし約１５０、約２ないし約１００、約２ないし約８０、約２ないし約６０、約２ないし約４０、約２ないし約２０、約２ないし約１５、約２ないし約１０、約２ないし約８、約２ないし約６、約２ないし約４、約３ないし約４５０、約３ないし約４００、約３ないし約３５０、約３ないし約３００、約３ないし約２５０、約３ないし約２００、約３ないし約１５０、約３ないし約１００、約３ないし約８０、約３ないし約６０、約３ないし約４０、約３ないし約２０、約３ないし約１５、約３ないし約１０、約３ないし約８、約３ないし約６、約３ないし約４、約４ないし約４５０、約４ないし約４００、約４ないし約３５０、約４ないし約３００、約４ないし約２５０、約４ないし約２００、約４ないし約１５０、約４ないし約１００、約４ないし約８０、約４ないし約６０、約４ないし約４０、約４ないし約２０、約４ないし約１５、約４ないし約１０、約４ないし約８、約４ないし約６、約５ないし約４５０、約５ないし約４００、約５ないし約３５０、約５ないし約３００、約５ないし約２５０、約５ないし約２００、約５ないし約１５０、約５ないし約１００、約５ないし約８０、約５ないし約６０、約５ないし約４０、約５ないし約２０、約５ないし約１５、約５ないし約１０、約５ないし約８、約５ないし約６、約１０ないし約４５０、約１０ないし約４００、約１０ないし約３５０、約１０ないし約３００、約１０ないし約２５０、約１０ないし約２００、約１０ないし約１５０、約１０ないし約１００、約１０ないし約８０、約１０ないし約６０、約１０ないし約４０、約１０ないし約２０、約１０ないし約１５、約２０ないし約４５０、約２０ないし約４００、約２０ないし約３５０、約２０ないし約３００、約２０ないし約２５０、約２０ないし約２００、約２０ないし約１５０、約２０ないし約１００、約２０ないし約８０、約２０ないし約６０、約２０ないし約４０、約３０ないし約４５０、約３０ないし約４００、約３０ないし約３５０、約３０ないし約３００、約３０ないし約２５０、約３０ないし約２００、約３０ないし約１５０、約３０ないし約１００、約３０ないし約８０、約３０ないし約６０、約３０ないし約４０、約４０ないし約４５０、約４０ないし約４００、約４０ないし約３５０、約４０ないし約３００、約４０ないし約２５０、約４０ないし約２００、約４０ないし約１５０、約４０ないし約１００、約４０ないし約８０、約４０ないし約６０、約５０ないし約４５０、約５０ないし約４００、約５０ないし約３５０、約５０ないし約３００、約５０ないし約２５０、約５０ないし約２００、約５０ないし約１５０、約５０ないし約１００、約５０ないし約８０、約５０ないし約６０、約１００ないし約４５０、約１００ないし約４００、約１００ないし約３５０、約１００ないし約３００、約１００ないし約２５０、約１００ないし約２００、約１００ないし約１５０、約２００ないし約４５０、約２００ないし約４００、約２００ないし約３５０、約２００ないし約３００、約２００ないし約２５０、約３００ないし約４５０、約３００ないし約４００、または約３００ないし約３５０の炭素数を有するものでもあるが、それらに制限されるのではない。前記ＲまたはＲ’の炭素数が４５０を超える場合、前記ハイブリッド共重合体の分子量が非常に大きいために、安定性及び加工性に問題が起こり、合成時、不必要な副反応を伴ってしまう。
【００３３】
本願の一具現例において、前記ハイブリッド共重合体は、公知のポリエーテルポリオールまたはポリエステルポリオールをさらに含んで互換性を確保することができるが、それに制限されるものではない。
【００３４】
本願の一具現例において、前記ポリエーテルポリオールの単量体は、アルキレンオキシド（alkylene oxide）、ジオール（diol）、トリオール（triol）、またはそれらの組み合わせからなる群から選択されるものを含み、前記ポリエステルポリオールの単量体は、カルボン酸基を２以上含む有機酸を含んでもよいが、それらに制限されるものではない。
【００３５】
本願の一具現例において、前記ポリエーテルポリオールの単量体は、エチレンオキシド（etylene oxide）及びプロピレンオキシド（propylene oxide）からなる群のうち選択されるアルキレンオキシド；ジプロピレングリコール（ＤＰＧ：dipropylene glycol）、モノエチレングリコール（ＭＥＧ：mono-ethylene glycol）及びプロピレングリコール（ＰＧ：propylene glycol）からなる群のうち選択されるジオール；またはグリセリン（glycerin）及びトリメチロールプロパン（ＴＭＰ：trimethylol propane）からなる群のうち選択されるトリオール；並びにそれらの組み合わせからなる群のうち選択されるものを含んでもよいが、それらに制限されるものではない。
【００３６】
本願の一具現例において、前記ポリエーテルポリオールは、活性化水素を有した開始剤に、プロピレンオキシドやエチレンオキシドなどのアルキレンオキシド（alkylene oxide）を付加重合して得られるものを含むが、それらに制限されるものではない。前記開始剤は、官能基が２個であるプロピレングリコール（propylene glycol）、ジプロピレングリコール（dipropylene glycol）、エチレングリコール（ethylene glycol）、ジエチレングリコール（diethylene glycol）、ジエタノールアミン（diethanol amine）、ビスフェノール（bisphenol）、水；官能基が３個であるグリセリン（glycerine）、トリメチロールプロパン（trimethylol propane）、トリエタノールアミン（triethanol amine）、ヘキサントリオール（haxane triol）；及びそれらの組み合わせからなる群から選択されるものが主に使用されるが、それらに制限されるものではない。
【００３７】
本願の一具現例において、前記ポリエーテルポリオールの硬度などを補強するために、スチレンモノマーやアクリロニトリルモノマーのようなビニル基を有した単量体を、前記合成されたポリエーテルポリオールに共重合して使用するか、あるいは官能基が三価以上である多官能基を有したペンタエリトリトール（pentaerythritol）、エチレンジアミン（ethylenediamine）、トルエンジアミン（toluenediamine）、ソルビトール（sorbitol）、スクロース（sucrose）のような開始剤が、約１％ないし約３０％の比率で一部使用されもするが、それらに制限されるのではない。
【００３８】
本願の一具現例において、前記ポリエステルポリオールの単量体は、カルボン酸基を２以上含む、炭素数約２ないし約２０の多価有機酸を含み、例えば、高級脂肪酸、飽和脂肪酸または不飽和脂肪酸を含んでもよいが、それらに制限されるのではない。例えば、前記多価有機酸の炭素数は、約２ないし約２０、約２ないし約１８、約２ないし約１６、約２ないし約１４、約２ないし約１２、約２ないし約１０、約２ないし約８、約２ないし約６、または約２ないし約４でもあるが、それらに制限されるのではない。
【００３９】
本願の一具現例において、前記カルボン酸基を２以上含む多価有機酸は、例えば、アジピン酸、シュウ酸及びコハク酸からなる群のうち選択されるものを含んでもよいが、それらに制限されるものではない。
【００４０】
本願の一具現例において、前記ポリエステルポリオールの単量体は、大豆油、ヒマシ油、クエン酸、パルミチン酸、ミリスチン酸、オレイン酸、ステアリン酸、リノール酸及びリノレン酸からなる群のうち選択されるものを含んでもよいが、それらに制限されるものではない。
【００４１】
本願の一具現例において、前記ポリエーテルポリオールを合成した後、アジピン酸や脂肪酸のようなカルボン酸基が２以上である有機酸を添加し、脱水縮合を介してエステル化反応させることにより、１つの重合物内に、エーテル・エステル結合が共存する共重合体を合成することができ、前記エステル化反応を介して、前記ハイブリッド共重合体を合成する反応温度は、常温、またはそれ以上の温度でもあり、常温ないし約２５０℃、常温ないし約２００℃、常温ないし約１５０℃、常温ないし約１００℃、約５０℃ないし約２５０℃、約５０℃ないし約２００℃、約５０℃ないし約１５０℃、約５０℃ないし約１００℃、約１００℃ないし約２５０℃、約１００℃ないし約２００℃、約１００℃ないし約１５０℃、約１５０℃ないし約２５０℃、約１５０℃ないし約２００℃、または約２００℃ないし約２５０℃であるが、それらに制限されるのではない。
【００４２】
本願の一具現例において、前記合成されたハイブリッド共重合体は、触媒、整泡剤、発泡剤、その他必要時に、難燃剤、充填剤、滑剤、架橋剤などの存在下、イソシアネート（−ＮＣＯ）基を有した化合物と反応させてポリウレタンを形成することにより、ハイブリッド型発泡フォームを形成する。前記ポリウレタンは、活性化水素基を有した物質と、イソシアネート基を有した物質とを合成して作られるが、それに制限されるものではない。
【００４３】
本願の一具現例において、前記イソシアネート基を有した化合物は、イソシアネート基を２以上有する芳香族系・脂環族系・脂肪族系などのポリイソシアネート、前記ポリイソシアネートの組み合わせ、及びそれらを変性させて得られる変性ポリイソシアネートからなる群から選択されるものを含むが、それらに制限されるものではない。
【００４４】
本願の一具現例において、前記イソシアネート基を有した化合物は、メチレンジフェニルジイソシアネート（ＭＤＩ：methylene diphenyl diisocyanate）、トルエンジイソシアネート（ＴＤＩ：toluene diisocyanate）、２，４−または２，６−トリレンジイソシアネート、キシレンジイソシアネート（ＸＤＩ）、パラフェニレンジイソシアネート、１，５−ナフタレンジイソシアネート、トリジンジイソシアネートなどの芳香族ジイソシアネート；α，α，α’，α’−テトラメチルキシレンジイソシアネートなどの芳香環を有する脂肪族ジイソシアネート；メチレンジイソシアネート、プロピレンジイソシアネート、リジンジイソシアネート、２，２，４−または２，４，４−トリメチルヘキサメチレンジイソシアネート、１，６−ヘキサメチレンジイソシアネート（ＨＭＤＩ）などの脂肪族ジイソシアネート；１，４−シクロヘキサンジイソシアネート、メチルシクロヘキサンジイソシアネート（水素添加ＴＤＩ）、１−イソシアネート−３−イソシアネートメチル−３，５，５−トリメチルシクロヘキサン（ＩＰＤＩ）、４，４’−ジシクロヘキシルメタンジイソシアネート、イソプロピリデンジシクロヘキシル−４，４’−ジイソシアネートなどの脂環族ジイソシアネート；及びそれらの組み合わせからなる群のうち選択されるものを含んでもよいが、それらに制限されるのではない。
【００４５】
本願の一具現例において、ポリイソシアネート化合物の使用量の範囲は、イソシアネートインデックスで、約３０ないし約１３０、約４０ないし約１２０、または約６０ないし約１００、さらに望ましくは、約５０ないし約１１０の範囲によるが、それらに制限されるのではない。前記イソシアネートインデックスは、ポリオール、架橋剤、水などの全ての活性物の合計に対するイソシアネート基数の約１００倍と示す数値を意味する。
【００４６】
本願の一具現例において、前記触媒は、ウレタン化反応を促進させる全ての触媒を使用することができる。例えば、トリエチレンジアミン、ビス（２−ジメチルアミノエチル）エーテル、Ｎ，Ｎ，Ｎ’，Ｎ’−テトラメチルヘキサメチレンジアミンなどの３級アミン類；酢酸カリウム、２−エチルヘキサンカリウムなどのカルボン酸金属塩；スタナスオクトエート、ジブチルスズジラウレートなどの有機金属化合物；及びそれらの組み合わせからなる群から選択されるものを使用することができるが、それらに制限されるものではない。
【００４７】
本願の一具現例において、前記整泡剤は、一般的に、ポリウレタンフォーム製造に使用されるものを制限なしにいずれも使用することができ、具体的には、シリコン系整泡剤及びフッ素系整泡剤などを使用することができるが、それらに制限されるものではない。
【００４８】
本願の一具現例において、前記整泡剤は、シリコン系整泡剤が望ましく、前記整泡剤のシリコン含有量は、前記整泡剤約１００重量部に対して、約１０重量部ないし約５０重量部、さらに望ましくは、約３０重量部ないし約５０重量部で含まれてもよいが、それらに制限されるのではない。前記シリコン含有量は、前記整泡剤中のポリシロキサン鎖の比率であり、残りは、ポリオキシアルキレン鎖である。また、前記ポリオキシアルキレン鎖中のオキシエチレン基の含有量は、前記ポリオキシアルキレン鎖約１００重量部に対して、約７０重量部ないし約１００重量部、さらに望ましくは、約９０重量部ないし約１００重量部で含まれてもよいが、それらに制限されるものではない。
【００４９】
本願の一具現例において、前記発泡剤は、フッ素化炭化水素、水及び不活性ガス、並びにそれらの組み合わせからなる群から選択されるものを使用することができ、前記不活性ガスは、空気、窒素、炭酸ガスなどを含んでもよい。前記発泡剤の使用量は、特別に限定されるものではないが、水を使用する場合、ポリオール混合物約１００重量部に対して、約１０重量部以下、または約０．５重量部ないし約４重量部が望ましいが、それらに制限されるものではない。
【００５０】
本願の一具現例において、前記ポリウレタン形成過程において、添加剤が追加して含まれてもよく、例えば、炭酸カリウム、硫酸バリウムなどの充填剤；乳化剤などの界面活性剤；酸化防止剤、紫外線吸収剤などの老化防止剤；難燃剤；可塑剤；着色剤；抗カビ剤；破泡剤；分散剤；変色防止剤；及びそれらの組み合わせからなる群から選択されるものを含んでもよいが、それらに制限されるものではない。
【００５１】
本願の一具現例において、前記整泡剤は、ポリオール（ただし、架橋剤は、含まない）約１００重量部に対して、約０．０１重量部ないし約５重量部、さらに望ましくは、約０．１重量部ないし約２重量部でもあるが、それらに制限されるものではない。
【００５２】
本願の一具現例において、ジプロピレングリコール（ＤＰＧ）を開始剤として有するジオールと、酸化プロピレン（ＰＯ：propylene oxide）とを付加重合し、分子量約１００ないし約８，０００のポリエーテルポリオールを一次的に形成する。前記重合されたポリエーテルポリオールに、アジピン酸など有機酸を添加し、脱水縮合反応を介してエステル化させ、ポリエステルポリオールとポリエーテルポリオールとが共重合されたハイブリッド構造の共重合体を形成する。前記形成された共重合体に、顔料、加硫剤、発泡剤、その他添加剤、水を添加して配合し、そこにイソシアネートを混合撹拌して発泡させた後、モールドに注入して凝固させる。その後、加熱炉で、加熱及び加硫反応を伴って成形し、成形されたフォームを切断、乾燥及び表面加工し、ハイブリッド型発泡フォームを製造することができるが、それに制限されるものではない。
【００５３】
本願の一具現例において、前記ハイブリッド共重合体の分子量は、約１００ないし約２０，０００、約１００ないし約１８，０００、約１００ないし約１６，０００、約１００ないし約１４，０００、約１００ないし約１２，０００、約１００ないし約１０，０００、約１００ないし約９，０００、約１００ないし約８，０００、約１００ないし約７，０００、約１００ないし約６，０００、約１００ないし約５，０００、約１００ないし約４，０００、約１００ないし約３，０００、約１００ないし約２，０００、約５００ないし約２０，０００、約５００ないし約１８，０００、約５００ないし約１６，０００、約５００ないし約１４，０００、約５００ないし約１２，０００、約５００ないし約１０，０００、約５００ないし約９，０００、約５００ないし約８，０００、約５００ないし約７，０００、約５００ないし約６，０００、約５００ないし約５，０００、約５００ないし約４，０００、約５００ないし約３，０００、約５００ないし約２，０００、約１，０００ないし約２０，０００、約１，０００ないし約１８，０００、約１，０００ないし約１６，０００、約１，０００ないし約１４，０００、約１，０００ないし約１２，０００、約１，０００ないし約１０，０００、約１，０００ないし約９，０００、約１，０００ないし約８，０００、約１，０００ないし約７，０００、約１，０００ないし約６，０００、約１，０００ないし約５，０００、約１，０００ないし約４，０００、約１，０００ないし約３，０００、約１，０００ないし約２，０００、約２，０００ないし約２０，０００、約２，０００ないし約１８，０００、約２，０００ないし約１６，０００、約２，０００ないし約１４，０００、約２，０００ないし約１２，０００、約２，０００ないし約１０，０００、約２，０００ないし約９，０００、約２，０００ないし約８，０００、約２，０００ないし約７，０００、約２，０００ないし約６，０００、約２，０００ないし約５，０００、約２，０００ないし約４，０００、約２，０００ないし約３，０００、約３，０００ないし約２０，０００、約３，０００ないし約１８，０００、約３，０００ないし約１６，０００、約３，０００ないし約１４，０００、約３，０００ないし約１２，０００、約３，０００ないし約１０，０００、約３，０００ないし約９，０００、約３，０００ないし約８，０００、約３，０００ないし約７，０００、約３，０００ないし約６，０００、約３，０００ないし約５，０００、約３，０００ないし約４，０００、約４，０００ないし約２０，０００、約４，０００ないし約１８，０００、約４，０００ないし約１６，０００、約４，０００ないし約１４，０００、約４，０００ないし約１２，０００、約４，０００ないし約１０，０００、約４，０００ないし約９，０００、約４，０００ないし約８，０００、約４，０００ないし約７，０００、約４，０００ないし約６，０００、約４，０００ないし約５，０００、約５，０００ないし約２０，０００、約５，０００ないし約１８，０００、約５，０００ないし約１６，０００、約５，０００ないし約１４，０００、約５，０００ないし約１２，０００、約５，０００ないし約１０，０００、約５，０００ないし約９，０００、約５，０００ないし約８，０００、約５，０００ないし約７，０００、約５，０００ないし約６，０００、約６，０００ないし約２０，０００、約６，０００ないし約１８，０００、約６，０００ないし約１６，０００、約６，０００ないし約１４，０００、約６，０００ないし約１２，０００、約６，０００ないし約１０，０００、約６，０００ないし約９，０００、約６，０００ないし約８，０００、約６，０００ないし約７，０００、約７，０００ないし約２０，０００、約７，０００ないし約１８，０００、約７，０００ないし約１６，０００、約７，０００ないし約１４，０００、約７，０００ないし約１２，０００、約７，０００ないし約１０，０００、約７，０００ないし約９，０００、約７，０００ないし約８，０００、約８，０００ないし約１０，０００、約８，０００ないし約９，０００、約２，５００ないし約３，５００、約３，５００ないし約４，５００、または約４，５００ないし約５，５００、約５，５００ないし約６，５００でもある。前記ハイブリッド共重合体の分子量が１，０００未満である場合、前記ハイブリッド共重合体を含む発泡フォームの弾性が落ちて硬度が上がってタッチ感が低下し、分子量が２０，０００超過である場合、前記ハイブリッド共重合体を含む発泡フォームの加工が困難であり、非常に柔らかくて耐久性が低下してしまう。
【００５４】
本願の一具現例において、前記ハイブリッド型発泡フォームは、開放されたポア（open pore）を含んでもよいが、それに制限されるものではない。
【００５５】
本願の一具現例において、前記ハイブリッド型発泡フォームは、前記ポア数が、約７０ｐｐｉないし約１２０ｐｐｉ、約７０ｐｐｉないし約１１０ｐｐｉ、約７０ｐｐｉないし約１００ｐｐｉ、約８０ｐｐｉないし約１２０ｐｐｉ、約８０ｐｐｉないし約１１０ｐｐｉ、約８０ｐｐｉないし約１００ｐｐｉ、約９０ｐｐｉないし約１２０ｐｐｉ、約９０ｐｐｉないし約１１０ｐｐｉ、または約９０ｐｐｉないし約１００ｐｐｉでもあるが、それらに制限されるものではない。前記ハイブリッド型発泡フォームのポア数が約７０ｐｐｉ未満であるならば、発泡フォームの弾性が低下して使用性が落ち、化粧料組成物の流動性を制御し難く、ポア数が約１２０ｐｐｉを超えるならば、使用時、耐久性、及び内容物の使用性が落ちてしまう。
本願の一具現例において、前記ポアのサイズが、約０．０１ｍｍないし約０．３５ｍｍ、約０．０５ｍｍないし約０．３５ｍｍ、約０．１０ｍｍないし約０．３５ｍｍ、約０．１５ｍｍないし約０．３５ｍｍ、約０．２０ｍｍないし約０．３５ｍｍ、約０．２５ｍｍないし約０．３５ｍｍ、または約０．３０ｍｍないし約０．３５ｍｍでもあるが、それらに制限されるものではない。前記ポアのサイズが前記範囲より小さい場合、含浸が困難であるだけではなく、充填量対比で、使用量効率が低いという問題点があり得る。ポアサイズが前記範囲より大きい場合、充填量対比で使用量効率は良好であるが、ポアサイズが過度に大きく、内容物の安定度が好ましくなく、化粧料組成物を捕集している力が弱くなり、小さい衝撃にも内容物が排出されるというように、化粧料組成物の排出調節能に劣るという問題点があり得る。
【００５６】
本願の一具現例において、前記ハイブリッド型発泡フォームは、アスカー（ASKER）硬度計Ｆ型（type）基準で、硬度が約１０ないし約７０、約１０ないし約６０、約１０ないし約５０、約１０ないし約４０、約１０ないし約３０、または約１０ないし約２０であるものを含むが、それらに制限されるものではない。
【００５７】
本願の第２側面は、化粧料組成物と、ポリエーテルポリオールとポリエステルポリオールとのハイブリッド共重合体を含むハイブリッド型発泡フォームと、を含み、前記ハイブリッド型発泡フォームに、前記化粧料組成物が含浸されたものである、化粧品キットを提供する。
【００５８】
前記ハイブリッド型発泡フォームは、前記本願の第１側面及び具現例によるものを含み、前記本願の第１側面によるハイブリッド型発泡フォームについて記載された内容は、本願の第２側面についても、いずれも適用される。
【００５９】
本願の一具現例において、前記化粧品キットは、塗布用アプリケータをさらに含んでもよい。前記塗布用アプリケータは、前記ハイブリッド型発泡フォームに含浸された前記化粧料組成物を塗布するための用途に使用されるものであるならば、制限なしに含むことができ、例えば、ブラシ、パフ、スポンジ、ローラまたはスティックなどを含んでもよいが、それらに制限されるものではない。
【００６０】
本願の一具現例において、前記化粧品キットは、前記ハイブリッド型発泡フォームを収容する容器をさらに含んでもよい。
【００６１】
本願の一具現例において、前記化粧品キットは、前記ハイブリッド型発泡フォームを収容する内部容器、及び前記内部容器を収容する外部容器をさらに含んでもよい。
【００６２】
本願の一具現例において、前記化粧品キットは、塗布用アプリケータと、化粧料組成物が含浸された含浸材と、前記含浸材を内蔵した内部容器と、前記内部容器を収容する外部容器と、を含むパクトタイプでもあり、前記含浸材は、本願の第１側面によるポリエーテルポリオールとポリエステルポリオールとのハイブリッド共重合体を含むハイブリッド型発泡フォームである。
【００６３】
本願の一具現例において、前記ハイブリッド共重合体は、前記ポリエーテルポリオール形成用の単量体またはオリゴマー、またはエーテル構造含有ポリオールを示すＸ、及び前記ポリエステルポリオール形成用の単量体またはオリゴマー、またはエステル構造含有ポリオールを示すＹを共重合して形成される共重合体を含んでもよい。
【００６４】
本願の一具現例において、前記ハイブリッド共重合体は、前記ポリエーテルポリオール（Ｘ）と、前記ポリエステルポリオール（Ｙ）とによって形成される（ＸＹ）ｎＸであるものを含み、前記ｎは、選択されるＸ及びＹの種類によっても異なり、約１ないし約２００範囲の数であるものを含むハイブリッド型発泡フォームを含んでもよいが、それに制限されるものではない。例えば、前記ハイブリッド共重合体（ＸＹ）ｎＸは、前記ポリエーテルポリオール形成用の単量体またはオリゴマー、またはエーテル構造含有ポリオールを示すＸ、及び前記ポリエステルポリオール形成用の単量体またはオリゴマー、またはエステル構造含有ポリオールを示すＹを、ｎ：ｎ＋１の比率で共重合して形成されるものでもあるが、それに制限されるものではない。例えば、前記ｎは、約１ないし約２００範囲の数であり、具体的には、約１ないし約２００、約１ないし約１８０、約１ないし約１６０、約１ないし約１５０、約１ないし約１４０、約１ないし約１２０、約１ないし約１００、約１ないし約９０、約１ないし約８０、約１ないし約７０、約１ないし約６０、約１ないし約５０、約１ないし約４０、約１ないし約３０、約１ないし約２０、約１ないし約１５、約１ないし約１０、約１ないし約９、約１ないし約８、約１ないし約７、約１ないし約６、約１ないし約５、約１ないし約４、約１ないし約３、約１ないし約２、約３ないし約２００、約３ないし約１８０、約３ないし約１６０、約３ないし約１５０、約３ないし約１４０、約３ないし約１２０、約３ないし約１００、約３ないし約５０、約３ないし約４０、約３ないし約３０、約３ないし約２０、約３ないし約１５、約３ないし約１０、約３ないし約９、約３ないし約８、約３ないし約７、約３ないし約６、約３ないし約５、約３ないし約４、約５ないし約２００、約５ないし約１８０、約５ないし約１６０、約５ないし約１５０、約５ないし約１４０、約５ないし約１２０、約５ないし約１００、約５ないし約９０、約５ないし約８０、約５ないし約７０、約５ないし約６０、約５ないし約５０、約５ないし約４０、約５ないし約３０、約５ないし約２０、約５ないし約１５、約５ないし約１０、約５ないし約９、約５ないし約８、約５ないし約７、約５ないし約６、約７ないし約２００、約７ないし約１８０、約７ないし約１６０、約７ないし約１５０、約７ないし約１４０、約７ないし約１２０、約７ないし約１００、約７ないし約９０、約７ないし約８０、約７ないし約７０、約７ないし約６０、約７ないし約５０、約７ないし約４０、約７ないし約３０、約７ないし約２０、約７ないし約１５、約７ないし約１０、約７ないし約９、約７ないし約８、約１０ないし約２００、約１０ないし約１８０、約１０ないし約１６０、約１０ないし約１５０、約１０ないし約１４０、約１０ないし約１２０、約１０ないし約１００、約１０ないし約９０、約１０ないし約８０、約１０ないし約７０、約１０ないし約６０、約１０ないし約５０、約１０ないし約４０、約１０ないし約３０、または約１０ないし約２０でもあるが、それらに制限されるものではない。本願の一具現例において、前記ハイブリッド共重合体は、前記ｎ値の範囲内で製造される場合、化粧料組成物を担持するのに適する弾性、及び商業化されるだけの加工性を確保することができる。
【００６５】
本願の一具現例において、前記ハイブリッド共重合体（ＸＹ）ｎＸは、下記化学式１のように表現され、下記化学式１で、Ｒは、アルキレン基またはエーテルオリゴマーを含むものであり、Ｒ’は、アルキレンまたはエステルオリゴマーを含むものであり、前記アルキレン、エーテルオリゴマー及びエステルオリゴマーは、飽和または不飽和の炭素結合を含み、線状または分枝状の構造を含んでもよいが、それらに制限されるものではない：
【化２】
2019504681.tif 000004
前記化学式１で、ｍは、約１ないし約２００範囲の数、例えば、具体的には、約１ないし約２００、約１ないし約１８０、約１ないし約１６０、約１ないし約１５０、約１ないし約１４０、約１ないし約１２０、約１ないし約１００、約１ないし約９０、約１ないし約８０、約１ないし約７０、約１ないし約６０、約１ないし約５０、約１ないし約４０、約１ないし約３０、約１ないし約２０、約１ないし約１５、約１ないし約１０、約１ないし約９、約１ないし約８、約１ないし約７、約１ないし約６、約１ないし約５、約１ないし約４、約１ないし約３、約１ないし約２、約３ないし約２００、約３ないし約１８０、約３ないし約１６０、約３ないし約１５０、約３ないし約１４０、約３ないし約１２０、約３ないし約１００、約３ないし約５０、約３ないし約４０、約３ないし約３０、約３ないし約２０、約３ないし約１５、約３ないし約１０、約３ないし約９、約３ないし約８、約３ないし約７、約３ないし約６、約３ないし約５、約３ないし約４、約５ないし約２００、約５ないし約１８０、約５ないし約１６０、約５ないし約１５０、約５ないし約１４０、約５ないし約１２０、約５ないし約１００、約５ないし約９０、約５ないし約８０、約５ないし約７０、約５ないし約６０、約５ないし約５０、約５ないし約４０、約５ないし約３０、約５ないし約２０、約５ないし約１５、約５ないし約１０、約５ないし約９、約５ないし約８、約５ないし約７、約５ないし約６、約７ないし約２００、約７ないし約１８０、約７ないし約１６０、約７ないし約１５０、約７ないし約１４０、約７ないし約１２０、約７ないし約１００、約７ないし約９０、約７ないし約８０、約７ないし約７０、約７ないし約６０、約７ないし約５０、約７ないし約４０、約７ないし約３０、約７ないし約２０、約７ないし約１５、約７ないし約１０、約７ないし約９、約７ないし約８、約１０ないし約２００、約１０ないし約１８０、約１０ないし約１６０、約１０ないし約１５０、約１０ないし約１４０、約１０ないし約１２０、約１０ないし約１００、約１０ないし約９０、約１０ないし約８０、約１０ないし約７０、約１０ないし約６０、約１０ないし約５０、約１０ないし約４０、約１０ないし約３０、または約１０ないし約２０でもあるが、それらに制限されるものではない。本願の一具現例において、前記ハイブリッド共重合体は、前記ｍ値の範囲内で製造される場合、化粧料組成物を担持するのに適する弾性と、商業化された加工性と、を確保することができる。
【００６６】
本願の一具現例において、前記Ｒ及びＲ’は、それぞれ独立して、約１ないし約４５０、約１ないし約４００、約１ないし約３５０、約１ないし約３００、約１ないし約２５０、約１ないし約２００、約１ないし約１５０、約１ないし約１００、約１ないし約８０、約１ないし約６０、約１ないし約４０、約１ないし約２０、約１ないし約１５、約１ないし約１０、約１ないし約８、約１ないし約６、約１ないし約４、または約１ないし約２、約２ないし約４５０、約２ないし約４００、約２ないし約３５０、約２ないし約３００、約２ないし約２５０、約２ないし約２００、約２ないし約１５０、約２ないし約１００、約２ないし約８０、約２ないし約６０、約２ないし約４０、約２ないし約２０、約２ないし約１５、約２ないし約１０、約２ないし約８、約２ないし約６、約２ないし約４、約３ないし約４５０、約３ないし約４００、約３ないし約３５０、約３ないし約３００、約３ないし約２５０、約３ないし約２００、約３ないし約１５０、約３ないし約１００、約３ないし約８０、約３ないし約６０、約３ないし約４０、約３ないし約２０、約３ないし約１５、約３ないし約１０、約３ないし約８、約３ないし約６、約３ないし約４、約４ないし約４５０、約４ないし約４００、約４ないし約３５０、約４ないし約３００、約４ないし約２５０、約４ないし約２００、約４ないし約１５０、約４ないし約１００、約４ないし約８０、約４ないし約６０、約４ないし約４０、約４ないし約２０、約４ないし約１５、約４ないし約１０、約４ないし約８、約４ないし約６、約５ないし約４５０、約５ないし約４００、約５ないし約３５０、約５ないし約３００、約５ないし約２５０、約５ないし約２００、約５ないし約１５０、約５ないし約１００、約５ないし約８０、約５ないし約６０、約５ないし約４０、約５ないし約２０、約５ないし約１５、約５ないし約１０、約５ないし約８、約５ないし約６、約１０ないし約４５０、約１０ないし約４００、約１０ないし約３５０、約１０ないし約３００、約１０ないし約２５０、約１０ないし約２００、約１０ないし約１５０、約１０ないし約１００、約１０ないし約８０、約１０ないし約６０、約１０ないし約４０、約１０ないし約２０、約１０ないし約１５、約２０ないし約４５０、約２０ないし約４００、約２０ないし約３５０、約２０ないし約３００、約２０ないし約２５０、約２０ないし約２００、約２０ないし約１５０、約２０ないし約１００、約２０ないし約８０、約２０ないし約６０、約２０ないし約４０、約３０ないし約４５０、約３０ないし約４００、約３０ないし約３５０、約３０ないし約３００、約３０ないし約２５０、約３０ないし約２００、約３０ないし約１５０、約３０ないし約１００、約３０ないし約８０、約３０ないし約６０、約３０ないし約４０、約４０ないし約４５０、約４０ないし約４００、約４０ないし約３５０、約４０ないし約３００、約４０ないし約２５０、約４０ないし約２００、約４０ないし約１５０、約４０ないし約１００、約４０ないし約８０、約４０ないし約６０、約５０ないし約４５０、約５０ないし約４００、約５０ないし約３５０、約５０ないし約３００、約５０ないし約２５０、約５０ないし約２００、約５０ないし約１５０、約５０ないし約１００、約５０ないし約８０、約５０ないし約６０、約１００ないし約４５０、約１００ないし約４００、約１００ないし約３５０、約１００ないし約３００、約１００ないし約２５０、約１００ないし約２００、約１００ないし約１５０、約２００ないし約４５０、約２００ないし約４００、約２００ないし約３５０、約２００ないし約３００、約２００ないし約２５０、約３００ないし約４５０、約３００ないし約４００、または約３００ないし約３５０の炭素数を有するものでもあるが、それらに制限されるものではない。前記ＲまたはＲ’の炭素数が４５０を超える場合、前記ハイブリッド共重合体の分子量が非常に大きいために、安定性及び加工性に問題が起こり、合成時、不必要な副反応を伴ってしまう。
【００６７】
本願の一具現例において、前記ハイブリッド共重合体は、公知のポリエーテルポリオールまたはポリエステルポリオールをさらに含み、互換性を確保することができるが、それらに制限されるものではない。
【００６８】
本願の一具現例において、前記ポリエーテルポリオールの単量体は、アルキレンオキシド（alkylene oxide）、ジオール（diol）、トリオール（triol）、またはそれらの組み合わせからなる群から選択されるものを含み、前記ポリエステルポリオールの単量体は、カルボン酸基を２以上含む有機酸を含んでもよいが、それに制限されるものではない。
【００６９】
本願の一具現例において、前記ポリエーテルポリオールの単量体は、エチレンオキシド（etylene oxide）及びプロピレンオキシド（propylene oxide）からなる群のうち選択されるアルキレンオキシド；ジプロピレングリコール（ＤＰＧ：dipropylene glycol）、モノエチレングリコール（ＭＥＧ：mono−ethylene glycol）及びプロピレングリコール（ＰＧ：propylene glycol）からなる群のうち選択されるジオール；またはグリセリン（glycerin）及びトリメチロールプロパン（ＴＭＰ：trimethylol propane）からなる群のうち選択されるトリオール；並びにそれらの組み合わせからなる群のうち選択されるものを含んでもよいが、それらに制限されるものではない。
【００７０】
本願の一具現例において、前記ポリエーテルポリオールは、活性化水素を有した開始剤に、プロピレンオキシドやエチレンオキシドなどのアルキレンオキシド（alkylene oxide）を付加重合して得られるものを含むが、それらに制限されるものではない。前記開始剤は、官能基が２個であるプロピレングリコール（propylene glycol）、ジプロピレングリコール（dipropylene glycol）、エチレングリコール（ethylene glycol）、ジエチレングリコール（diethylene glycol）、ジエタノールアミン（diethanol amine）、ビスフェノール（bisphenol）、水；官能基が３個であるグリセリン（glycerine）、トリメチロールプロパン（trimethylol propane）、トリエタノールアミン（triethanol amine）、ヘキサントリオール（haxane triol）；及びそれらの組み合わせからなる群から選択されるものが主に使用されるが、それらに制限されるものではない。
【００７１】
本願の一具現例において、前記ポリエーテルポリオールの硬度などを補強するために、スチレンモノマーやアクリロニトリルモノマーのようなビニル基を有した単量体を、前記合成されたポリエーテルポリオールに共重合して使用するか、あるいは官能基が三価以上である多官能基を有したペンタエリトリトール（pentaerythritol）、エチレンジアミン（ethylenediamine）、トルエンジアミン（toluenediamine）、ソルビトール（sorbitol）、スクロース（sucrose）のような開始剤が、約１％ないし約３０％の比率で一部使用されもするが、それらに制限されるものではない。
【００７２】
本願の一具現例において、前記ポリエステルポリオールの単量体は、カルボン酸基を２以上含む炭素数約２ないし約２０の多価有機酸を含み、例えば、高級脂肪酸、飽和脂肪酸、または不飽和脂肪酸を含んでもよいが、それらに制限されるものではない。例えば、前記多価有機酸の炭素数は、約２ないし約２０、約２ないし約１８、約２ないし約１６、約２ないし約１４、約２ないし約１２、約２ないし約１０、約２ないし約８、約２ないし約６、または約２ないし約４でもあるが、それらに制限されるものではない。
【００７３】
本願の一具現例において、前記カルボン酸基を２以上含む多価有機酸は、例えば、アジピン酸、シュウ酸及びコハク酸からなる群のうち選択されるものを含んでもよいが、それらに制限されるものではない。
【００７４】
本願の一具現例において、前記ポリエステルポリオールの単量体は、大豆油、ヒマシ油、クエン酸、パルミチン酸、ミリスチン酸、オレイン酸、ステアリン酸、リノール酸及びリノレン酸からなる群のうち選択されるものを含んでもよいが、それらに制限されるものではない。
【００７５】
本願の一具現例において、前記ポリエーテルポリオールを合成した後、アジピン酸や脂肪酸のようなカルボン酸基が２以上である有機酸を添加し、脱水縮合を介してエステル化反応させることにより、１つの重合物内にエーテル・エステル結合が共存する共重合体を合成することができ、前記エステル化反応を介して、前記ハイブリッド共重合体を合成する反応温度は、常温、またはそれ以上の温度でもあり、常温ないし約２５０℃、常温ないし約２００℃、常温ないし約１５０℃、常温ないし約１００℃、約５０℃ないし約２５０℃、約５０℃ないし約２００℃、約５０℃ないし約１５０℃、約５０℃ないし約１００℃、約１００℃ないし約２５０℃、約１００℃ないし約２００℃、約１００℃ないし約１５０℃、約１５０℃ないし約２５０℃、約１５０℃ないし約２００℃、または約２００℃ないし約２５０℃でもあるが、それらに制限されるものではない。
【００７６】
本願の一具現例において、前記合成されたハイブリッド共重合体は、触媒、整泡剤、発泡剤、その他必要時に、難燃剤、充填剤、滑剤、架橋剤などの存在下で、イソシアネート基を有した化合物と反応させ、ポリウレタンを形成することにより、ハイブリッド型発泡フォーム形成する。前記ポリウレタンは、活性化水素基を有した物質と、イソシアネート基を有した物質と、を合成して作られるが、それに制限されるものではない。
【００７７】
本願の一具現例において、前記イソシアネート基を有した化合物は、イソシアネート基を２以上有する芳香族系・脂環族系・脂肪族系などのポリイソシアネート、前記ポリイソシアネートの組み合わせ、及びそれらを変性させて得られる変性ポリイソシアネートからなる群から選択されるものを含むが、それらに制限されるものではない。
【００７８】
本願の一具現例において、前記イソシアネート基を有した化合物は、メチレンジフェニルジイソシアネート、トルエンジイソシアネート、２，４−または２，６−トリレンジイソシアネート、キシレンジイソシアネート（ＸＤＩ）、パラフェニレンジイソシアネート、１，５−ナフタレンジイソシアネート、トリジンジイソシアネートなどの芳香族ジイソシアネート；α，α，α’，α’−テトラメチルキシレンジイソシアネートなどの芳香環を有する脂肪族ジイソシアネート；メチレンジイソシアネート、プロピレンジイソシアネート、リジンジイソシアネート、２，２，４−または２，４，４−トリメチルヘキサメチレンジイソシアネート、１，６−ヘキサメチレンジイソシアネート（ＨＭＤＩ）などの脂肪族ジイソシアネート；１，４−シクロヘキサンジイソシアネート、メチルシクロヘキサンジイソシアネート（水素添加ＴＤＩ）、１−イソシアネート−３−イソシアネートメチル−３，５，５−トリメチルシクロヘキサン（ＩＰＤＩ）、４，４’−ジシクロヘキシルメタンジイソシアネート、イソプロピリデンジシクロヘキシル−４，４’−ジイソシアネートなどの脂環族ジイソシアネート；及びそれらの組み合わせからなる群から選択されるものを含んでもよいが、それらに制限されるものではない。
【００７９】
本願の一具現例において、ポリイソシアネート化合物の使用量の範囲は、イソシアネートインデックスで、約３０ないし約１３０、約４０ないし約１２０、または約６０ないし約１００、さらに望ましくは、約５０ないし約１１０の範囲によるが、それらに制限されるものではない。前記イソシアネートインデックスは、ポリオール、架橋剤、水などの全ての活性物の合計に対するイソシアネート基数の約１００倍と示す数値を意味する。
【００８０】
本願の一具現例において、前記触媒は、ウレタン化反応を促進させる全ての触媒を使用することができる。例えば、トリエチレンジアミン、ビス（２−ジメチルアミノエチル）エーテル、Ｎ，Ｎ，Ｎ’，Ｎ’−テトラメチルヘキサメチレンジアミンなどの３級アミン類；酢酸カリウム、２−エチルヘキサンカリウムなどのカルボン酸金属塩；スタナスオクトエート、ジブチルスズジラウレートなどの有機金属化合物；及びそれらの組み合わせからなる群から選択されるものを使用することができるが、それらに制限されるものではない。
【００８１】
本願の一具現例において、前記整泡剤は、一般的には、ポリウレタンフォーム製造に使用されるものを制限なしに、いずれも使用することができ、具体的には、シリコン系整泡剤及びフッ素系整泡剤などを使用することができるが、それらに制限されるものではない。
【００８２】
本願の一具現例において、前記整泡剤は、シリコン系整泡剤が望ましく、前記整泡剤のシリコン含有量は、前記整泡剤約１００重量部に対して、約１０重量部ないし約５０重量部、さらに望ましくは、約３０重量部ないし約５０重量部で含まれてもよいが、それらに制限されるものではない。前記シリコン含有量は、前記整泡剤中のポリシロキサン鎖の比率であり、残りは、ポリオキシアルキレン鎖である。また、前記ポリオキシアルキレン鎖中のオキシエチレン基の含有量は、前記ポリオキシアルキレン鎖約１００重量部に対して、約７０重量部ないし約１００重量部、さらに望ましくは、約９０重量部ないし約１００重量部で含まれてもよいが、それらに制限されるものではない。
【００８３】
本願の一具現例において、前記発泡剤は、フッ素化炭化水素、水及び不活性ガス、並びにそれらの組み合わせからなる群から選択されるものを使用することができ、前記不活性ガスは、空気、窒素、炭酸ガスなどを含んでもよい。前記発泡剤の使用量は、特別に限定されるものではないが、水を使用する場合、ポリオール混合物約１００重量部に対して、約１０重量部以下、または約０．５重量部ないし約４重量部が望ましいが、それらに制限されるものではない。
【００８４】
本願の一具現例において、前記ポリウレタン形成過程において、添加剤が追加して含まれてもよく、例えば、炭酸カリウム、硫酸バリウムなどの充填剤；乳化剤などの界面活性剤；酸化防止剤、紫外線吸収剤などの老化防止剤；難燃剤；可塑剤；着色剤；抗カビ剤；破泡剤；分散剤；変色防止剤；及びそれらの組み合わせからなる群から選択されるものを含んでもよいが、それらに制限されるものではない。
【００８５】
本願の一具現例において、前記整泡剤は、ポリオール（ただし、架橋剤は、含まない）約１００重量部に対して、約０．０１重量部ないし約５重量部、さらに望ましくは、約０．１重量部ないし約２重量部でもあるが、それらに制限されるものではない。
【００８６】
本願の一具現例において、ジプロピレングリコール（ＤＰＧ）を開始剤として有するジオールと、酸化プロピレン（Propylene oxide、ＰＯ）を付加重合し、分子量約１００ないし約８，０００のポリエーテルポリオールを一次的に形成する。前記重合されたポリエーテルポリオールに、アジピン酸など有機酸を添加し、脱水縮合反応を介してエステル化させ、ポリエステルポリオールとポリエーテルポリオールとが共重合されたハイブリッド構造の共重合体を形成する。前記形成された共重合体に、顔料、加硫剤、発泡剤、その他添加剤、水を添加して配合し、そこにイソシアネートを混合撹拌して発泡させた後、モールドに注入して凝固させる。その後、加熱炉で、加熱及び加硫反応を伴って成形し、成形されたフォームを切断、乾燥及び表面加工し、ハイブリッド型発泡フォームを製造することができるが、それに制限されるものではない。
【００８７】
本願の一具現例において、前記ハイブリッド共重合体の分子量は、約１００ないし約２０，０００、約１００ないし約１８，０００、約１００ないし約１６，０００、約１００ないし約１４，０００、約１００ないし約１２，０００、約１００ないし約１０，０００、約１００ないし約９，０００、約１００ないし約８，０００、約１００ないし約７，０００、約１００ないし約６，０００、約１００ないし約５，０００、約１００ないし約４，０００、約１００ないし約３，０００、約１００ないし約２，０００、約５００ないし約２０，０００、約５００ないし約１８，０００、約５００ないし約１６，０００、約５００ないし約１４，０００、約５００ないし約１２，０００、約５００ないし約１０，０００、約５００ないし約９，０００、約５００ないし約８，０００、約５００ないし約７，０００、約５００ないし約６，０００、約５００ないし約５，０００、約５００ないし約４，０００、約５００ないし約３，０００、約５００ないし約２，０００、約１，０００ないし約２０，０００、約１，０００ないし約１８，０００、約１，０００ないし約１６，０００、約１，０００ないし約１４，０００、約１，０００ないし約１２，０００、約１，０００ないし約１０，０００、約１，０００ないし約９，０００、約１，０００ないし約８，０００、約１，０００ないし約７，０００、約１，０００ないし約６，０００、約１，０００ないし約５，０００、約１，０００ないし約４，０００、約１，０００ないし約３，０００、約１，０００ないし約２，０００、約２，０００ないし約２０，０００、約２，０００ないし約１８，０００、約２，０００ないし約１６，０００、約２，０００ないし約１４，０００、約２，０００ないし約１２，０００、約２，０００ないし約１０，０００、約２，０００ないし約９，０００、約２，０００ないし約８，０００、約２，０００ないし約７，０００、約２，０００ないし約６，０００、約２，０００ないし約５，０００、約２，０００ないし約４，０００、約２，０００ないし約３，０００、約３，０００ないし約２０，０００、約３，０００ないし約１８，０００、約３，０００ないし約１６，０００、約３，０００ないし約１４，０００、約３，０００ないし約１２，０００、約３，０００ないし約１０，０００、約３，０００ないし約９，０００、約３，０００ないし約８，０００、約３，０００ないし約７，０００、約３，０００ないし約６，０００、約３，０００ないし約５，０００、約３，０００ないし約４，０００、約４，０００ないし約２０，０００、約４，０００ないし約１８，０００、約４，０００ないし約１６，０００、約４，０００ないし約１４，０００、約４，０００ないし約１２，０００、約４，０００ないし約１０，０００、約４，０００ないし約９，０００、約４，０００ないし約８，０００、約４，０００ないし約７，０００、約４，０００ないし約６，０００、約４，０００ないし約５，０００、約５，０００ないし約２０，０００、約５，０００ないし約１８，０００、約５，０００ないし約１６，０００、約５，０００ないし約１４，０００、約５，０００ないし約１２，０００、約５，０００ないし約１０，０００、約５，０００ないし約９，０００、約５，０００ないし約８，０００、約５，０００ないし約７，０００、約５，０００ないし約６，０００、約６，０００ないし約２０，０００、約６，０００ないし約１８，０００、約６，０００ないし約１６，０００、約６，０００ないし約１４，０００、約６，０００ないし約１２，０００、約６，０００ないし約１０，０００、約６，０００ないし約９，０００、約６，０００ないし約８，０００、約６，０００ないし約７，０００、約７，０００ないし約２０，０００、約７，０００ないし約１８，０００、約７，０００ないし約１６，０００、約７，０００ないし約１４，０００、約７，０００ないし約１２，０００、約７，０００ないし約１０，０００、約７，０００ないし約９，０００、約７，０００ないし約８，０００、約８，０００ないし約１０，０００、約８，０００ないし約９，０００、約２，５００ないし約３，５００、約３，５００ないし約４，５００、または約４，５００ないし約５，５００、約５，５００ないし約６，５００でもある。前記ハイブリッド共重合体の分子量が１，０００未満である場合、前記ハイブリッド共重合体を含む発泡フォームの弾性が落ちて硬度が上がってタッチ感が低下し、分子量が２０，０００超過である場合、前記ハイブリッド共重合体を含む発泡フォームの加工が困難であり、非常に柔らかくて耐久性が低下してしまう。
【００８８】
本願の一具現例において、前記ハイブリッド型発泡フォームは、開放されたポアを含んでもよいが、それに制限されるものではない。
【００８９】
本願の一具現例において、前記ハイブリッド型発泡フォームは、前記ポア数が、約７０ｐｐｉないし約１２０ｐｐｉ、約７０ｐｐｉないし約１１０ｐｐｉ、約７０ｐｐｉないし約１００ｐｐｉ、約８０ｐｐｉないし約１２０ｐｐｉ、約８０ｐｐｉないし約１１０ｐｐｉ、約８０ｐｐｉないし約１００ｐｐｉ、約９０ｐｐｉないし約１２０ｐｐｉ、約９０ｐｐｉないし約１１０ｐｐｉ、または約９０ｐｐｉないし約１００ｐｐｉでもあるが、それらに制限されるものではない。前記ハイブリッド型発泡フォームのポア数が約７０ｐｐｉ未満であるならば、発泡フォームの弾性が低下して使用性が落ち、化粧料組成物の流動性を制御し難く、ポア数が約１２０ｐｐｉを超えるならば、使用時、耐久性、及び内容物の使用性が落ちてしまう。
【００９０】
本願の一具現例において、前記ポアのサイズが、約０．０１ｍｍないし約０．３５ｍｍ、約０．０５ｍｍないし約０．３５ｍｍ、約０．１０ｍｍないし約０．３５ｍｍ、約０．１５ｍｍないし約０．３５ｍｍ、約０．２０ｍｍないし約０．３５ｍｍ、約０．２５ｍｍないし約０．３５ｍｍ、または約０．３０ｍｍないし約０．３５ｍｍでもあるが、それらに制限されるものではない。前記ポアのサイズが前記範囲より小さい場合、含浸が困難であるだけではなく、充填量対比で、使用量効率が低いという問題点があり得る。ポアサイズが前記範囲より大きい場合、充填量対比で使用量効率は良好であるが、ポアサイズが過度に大きく、内容物の安定度が好ましくなく、化粧料組成物を捕集している力が弱くなり、小さい衝撃にも内容物が排出されるというように、化粧料組成物の排出調節能に劣るという問題点があり得る。
【００９１】
本願の一具現例において、前記ハイブリッド型発泡フォームは、アスカー（ASKER）硬度計Ｆ型（type）基準で、硬度が約１０ないし約７０、約１０ないし約６０、約１０ないし約５０、約１０ないし約４０、約１０ないし約３０、または約１０ないし約２０であるものを含むが、それらに制限されるものではない。
【００９２】
本願の一具現例において、前記ハイブリッド型発泡フォームに浸漬される前記化粧料組成物は、粘度が約４，０００ｃｐｓないし約２０，０００ｃｐｓ、約５，０００ｃｐｓないし約２０，０００ｃｐｓ、約６，０００ｃｐｓないし約２０，０００ｃｐｓ、約７，０００ｃｐｓないし約２０，０００ｃｐｓ、約８，０００ｃｐｓないし約２０，０００ｃｐｓ、約９，０００ｃｐｓないし約２０，０００ｃｐｓ、約１０，０００ｃｐｓないし約２０，０００ｃｐｓ、約１１，０００ｃｐｓないし約２０，０００ｃｐｓ、約１２，０００ｃｐｓないし約２０，０００ｃｐｓ、約１３，０００ｃｐｓないし約２０，０００ｃｐｓ、約１４，０００ｃｐｓないし約２０，０００ｃｐｓ、約１５，０００ｃｐｓないし約２０，０００ｃｐｓ、約１６，０００ｃｐｓないし約２０，０００ｃｐｓ、約１７，０００ｃｐｓないし約２０，０００ｃｐｓ、約１８，０００ｃｐｓないし約２０，０００ｃｐｓ、または約１９，０００ｃｐｓないし約２０，０００ｃｐｓであるものを含むが、それらに制限されるものではない。前記ハイブリッド型発泡フォームに含浸される化粧料組成物の粘度が約４，０００ｃｐｓ未満である場合には、含浸前のバルク状態内容物の分離が早く起きて不適であり、約２０，０００ｃｐｓ超過の内容物は、粘度が非常に高くて含浸が困難であり、クッションの長所である、薄くて軽い使用感が低減するという問題点があり得る。
【００９３】
本願の一具現例において、前記ハイブリッド型発泡フォームに含浸される化粧料組成物は、メーキャップベース、ＢＢクリーム、スキンカバー、ファウンデーション、プライマー、ブラシ、リップスティック、リップグロス、ペースパウダー、リップライナー、眉墨鉛筆、アイシャドウ、コンパクトパウダー、ツインケーキ、パクト、パウダーパクト、コンシーラーまたはサンスクリーンを含むが、それらに制限されるものではない。
【００９４】
以下、本願について、実施例を利用し、さらに具体的に説明するが、下記実施例は、本願の理解の一助とするために例示するものであるのみ、本願の内容は、下記実施例に限定されるものではない。
【実施例】
【００９５】
［１．対照群及び実験群の特定及び製造］
（（１）対照群及び実験群の特定）
従来のポリエーテルポリオールフォームとポリエステルポリオールフォームとを対照群に設定し、本願のハイブリッド型発泡フォームを実験群として設定した。
【００９６】
（（２）ポリエーテルポリオールフォーム（対照群）の製造）
ポリエーテルポリオールＡ（分子量６，０００）５０重量部、共重合体ポリエーテルポリオール部Ｂ（分子量３，０００）５０重量部、cell opener １．２重量部、シリコン界面活性剤０．８重量部、ジエタノールアミン１．０重量部、水３．９重量部及び触媒０．４４重量部を配合しながら製造した。それを、変性メチレンジフェニルジイソシアネート［以下、「ＭＤＩ」ともいう（ＮＣＯ％＝２９．８、商品名ＣＧ−３０００（錦湖化学）］を使用し、Index１００である量にして低圧混合機械を使用して反応させた。前記成分は、約２５℃で接触させた。生成された反応混合物は、６０℃金型に分配し、室温で５分間硬化させた。金型から取り出した後、フォーム試片を十分に圧縮し、セル領域を開放して製造した。
【００９７】
（（３）ポリエステルポリオールフォーム（対照群）の製造）
ポリエステルポリオールＡ（分子量３，０００）５０重量部、ポリエステルポリオール部Ｂ（分子量１，０００）５０重量部、cell opener １．２重量部、シリコン界面活性剤０．８重量部、ジエタノールアミン１．０重量部、水３．９重量部及び触媒０．４７重量部を配合しながら製造した。それを、変性ＭＤＩ［ＮＣＯ％＝２９．８、商品名ＣＧ−３０００（錦湖化学）］を使用し、Index１００である量にして低圧混合機械を使用して反応させた。前記成分は、約２５℃で接触させた。生成された反応混合物は、６０℃金型に分配し、室温で５分間硬化させた。金型から取り出した後、フォーム試片を十分に圧縮し、セル領域を開放して製造した。
【００９８】
（（４）ハイブリッド型発泡フォーム（実験群）の製造）
ポリエーテルポリオール及びポリエステルポリオールのハイブリッド共重合体Ａ（分子量：３，５００；前記ハイブリッド型ポリオール共重合体内ポリエーテルポリオール部分の分子量３，０００）５０重量部、cell opener １．２重量部、シリコン界面活性剤０．８重量部、ジエタノールアミン１．０重量部、水３．９重量部及び触媒０．４４重量部を配合しながら製造した。それを、変性ＭＤＩ［ＮＣＯ％＝２９．８、商品名ＣＧ−３０００（錦湖化学）］を使用し、Index１００である量にして低圧混合機械を使用して反応させた。前記成分は、約２５℃で接触させた。生成された反応混合物は、６０℃金型に分配し、室温で５分間硬化させた。金型から取り出した後、フォーム試片を十分に圧縮し、セル領域を開放した。前記過程を介して製造されたハイブリッド発泡フォームのアスカー硬度は、１０ないし７０、ポア数は、７０ｐｐｉないし１２０ｐｐｉであった。
【００９９】
図１は、本実施例によって製造されたハイブリッド発泡フォームの写真であり、図２は、本実施例の化粧料組成物が含浸されたハイブリッド発泡フォームの写真であり、図３は、本実施例によって製造されたハイブリッド発泡フォームの光学顕微鏡による写真である。
【０１００】
図１から分かるように、製造されたハイブリッド発泡フォームは、４８ｍｍＸ８ｍｍに裁断され、図３から分かるように、製造されたハイブリッド発泡フォームは、開放されたポアを含み、前記内部のポアサイズの測定の結果、０．１ｍｍないし０．３５ｍｍのポアサイズを有する（光学顕微鏡OLYMPUS ＢＸ５１、１０ｘ／０．３倍率）。
【０１０１】
［２．耐化学性による変形安定度実験］
発泡フォームに、化粧料組成物を含浸させれば、経時的に発泡フォーム体積が膨脹する現象が示される。一定サイズの容器内部に発泡フォームを内蔵するためには、かような体積膨脹現象を考慮しなければならない。かような現象は、特に、ポリエーテルポリオールフォームの場合に顕著に示されるところ、本願のハイブリッド型発泡フォームが、かような問題点を解決することができるか否かということを確認する実験を行った。
【０１０２】
前記対照群として製造されたポリエーテルポリオールフォーム、及び前記実験群として製造されたハイブリッド型発泡フォームに、化粧料組成物構成原料に含まれるエステルオイル、極性有機紫外線遮断剤、または揮発性シリコンオイルをそれぞれ含浸させ、８０℃で２０分間維持した。その後、含浸前、発泡フォームの体積と比較し、含浸後、発泡フォーム体積がどのくらい膨脹したかということを確認し、その結果を下記［表１］に示した。
【０１０３】
前記使用されたエステルオイルは、エチルヘキサン酸セチル、リンゴ酸ジイソステアリル、ブチレングリコールジカプリレート／ジカプレート、ジカプリリルカーボネート、ネオペンチルグリコールジヘプタノエートを利用した。極性有機紫外線遮断剤は、エチルヘキシルメトキシシンナメート、ヘキシルヘキシルサリシレート、イソアミル−Ｐ−メトキシシンナメートが代表的に使用された。揮発性シリコンオイルは、シクロヘキサシロキサン、シクロペンタシロキサン、シクロメチコンが使用された。
【０１０４】
【表１】
2019504681.tif 000005
【０１０５】
前記［表１］から分かるように、エステルオイル、極性有機紫外線遮断剤または揮発性シリコンオイルを含浸させた結果、本願の一実施例によるハイブリッド発泡フォームは、既存のポリエーテルポリオールフォームの体積膨脹率の半分ほどの体積膨脹率を示しているということを確認することができた。従って、既存のポリエーテルポリオールフォームと比較し、耐化学性による変形安定度に優れるということを確認することができる。
【０１０６】
[３．耐加水分解性安定度実験］
化粧料組成物は、多様な剤形で使用されるので、発泡フォームは、油分及び水分にいずれもに強い材質でなければならない。既存のポリエステルポリオールフォームは、加水分解性を有しているために、化粧品に使用され難いという点があった。それゆえに、本願のハイブリッド発泡フォームが、加水分解性の問題点を解決することができるか否かということを確認する実験を行った。
【０１０７】
発泡フォームの加水分解性を評価するために、１０ｗｔ％塩酸及び１０ｗｔ％硝酸に、ポリエステルポリオールフォーム及びハイブリッド発泡フォームを、それぞれ常温で７日間含浸させた後、前記フォームの崩れ状態を確認した。該実験は、加速条件下で進めるために、酸触媒である塩酸及び硝酸をそれぞれ１０ｗｔ％で利用した。
【０１０８】
【表２】
2019504681.tif 000006
【０１０９】
前記［表２］のように、ハイブリッド発泡フォームは、加水分解に対して安定しているが、ポリエステルポリオールフォームは、崩れ現象を示すということを確認することができた。
【０１１０】
［４．耐久性実験］
耐久性実験に使用される化粧料組成物は、下記［表３］の組成によって製造された。
【０１１１】
【表３】
2019504681.tif 000007
【０１１２】
前記［表３］のような組成を有する化粧料組成物を製造した。該化粧料組成物は、前記油相成分と粘増剤とをまず混合した後、粘増剤が含まれた油相成分にピグメントを入れ、ホモミキサで十分に分散させた後、そこに水相成分を徐々に投入し、ホモミキサを利用して乳化させ、低粘度のＷ／Ｏタイプのファウンデーションを製造する。Ｗ／Ｏタイプは、内相に水を含み、外相をオイルが覆い包んでいる形態をいう。
【０１１３】
実際、本願のハイブリッド発泡フォームを、化粧品の一部として使用する場合、塗布用パフを利用し、持続的な圧力及び摩擦を加えるが、それによって損傷された発泡フォームは、目的に不適であるために、十分な耐久性を有さなければならない。従って、本願のハイブリッド発泡フォームが、既存の発泡フォームと比較し、さらに優秀な耐久性を有するか否かということを確認する実験を行った。
【０１１４】
ポリエーテルフォーム、ポリエステルフォーム、及びハイブリッド型発泡フォームに、［表３］によって作られた化粧料組成物を、それぞれ１２ｇずつ含浸させ、化粧料が含浸されたそれぞれのフォームに、同一圧で１０回反復して押した後、２５℃恒温槽で２４時間保管する過程を４週間毎日反復し、下記［表４］のように肉眼観察して評価した。
【０１１５】
【表４】
2019504681.tif 000008
【０１１６】
前記［表４］から見られるように、ポリエーテルポリオールフォーム、ポリエステルポリオールフォーム、ハイブリッド発泡フォームに、持続的に反復的な圧力を加えた。沈積した化粧料組成物は、Ｗ／Ｏタイプであり、４週間テストの進行時、最も良好である耐久性を示すということを確認した。
【０１１７】
前述の本願例示は、本発明について説明するためのものであり、本願が属する技術分野の当業者であるならば、本願の技術的思想や必須な特徴を変更せずとも、他の具体的な形態に容易に変形が可能であるということを理解することができるであろう。従って、以上で記述された実施例は、全ての面において例示的なものであり、必ずしも限定的ではないと理解しなければならない。例えば、単一型に説明されている各構成要素は、分散されて実施されることがあり、同様に、分散されているように説明されている構成要素も、結合された形態で実施されることがある。
【０１１８】
本願の範囲は、前述の詳細な説明よりは、特許請求の範囲によって示されており、該特許請求の範囲の意味、範囲及びその均等概念から導出される全ての変更または変形された形態は、本願の範囲に含まれるものであると解釈されなければならない。
【図１】
2019504681.tif 000009
【図２】
2019504681.tif 000010
【図３】
2019504681.tif 000011
【国際調査報告】
2019504681.tif 000012
2019504681.tif 000013
2019504681.tif 000014
2019504681.tif 000015